(57)【要約】      （修正有）【課題】取手シートの強度を維持しつつ、収容された吸収性物品が柔らかいという印象を与えることができる包装シートを提供する。【解決手段】複数の吸収性物品を包む包装シートは、袋状の本体シート１０と、本体シート１０に接合され、本体シート１０とは別体の取手シート２０と、を有する。取手シート２０を構成する資材の５％ひずみ引張応力は、本体シート１０を構成する資材の５％ひずみ引張応力よりも高い。取手シート２０に凹凸部２２が形成されている。【選択図】図１
0003212544.tif 000002
【実用新案登録請求の範囲】
【請求項１】
袋状の本体シートと、
前記本体シートに接合され、前記本体シートとは別体の取手シートと、を有し、
複数の吸収性物品を包む包装シートであって、
前記取手シートを構成する資材の５％ひずみ引張応力は、前記本体シートを構成する資材の５％ひずみ引張応力よりも高く、
前記取手シートに凹凸部が形成されている、包装シート。
【請求項２】
前記凹凸部は、少なくとも、前記本体シートと前記取手シートとが接合された面と同じ面に形成されている、請求項１に記載の包装シート。
【請求項３】
前記凹凸部は、前記取手シートの両面に形成されている、請求項１又は２に記載の包装シート。
【請求項４】
前記取手シートは、前記凹凸部が形成された凹凸領域と、前記凹凸部が形成されていない非凹凸領域と、を有し、
前記本体シートと前記取手シートとを接合する接合部は、前記非凹凸領域に設けられている、請求項１から３のいずれか１項に記載の包装シート。
【請求項５】
前記凹凸部は、少なくとも前記取手シートの長手方向に延びている、請求項１から４のいずれか１項に記載の包装シート。
【請求項６】
前記取手シートの、前記凹凸部が設けられた領域は、透明領域又は半透明領域を含む、請求項１から５のいずれか１項に記載の包装シート。
【請求項７】
前記取手シートの前記透明領域又は半透明領域の光沢度は、３０％以上である、請求項６に記載の包装シート。
【請求項８】
前記凹凸部の高さの差は、２０μｍ以下である、請求項６又は７に記載の包装シート。
【請求項９】
前記凹凸部はエンボス部である、請求項１から８のいずれか１項に記載の包装シート。
【請求項１０】
前記本体シートに凹凸部が形成されている、請求項１から９のいずれか１項に記載の包装シート。
【請求項１１】
前記包装シート内に収容された吸収性物品に凹凸部が形成されている、請求項１から１０のいずれか１項に記載の包装シート。
【請求項１２】
請求項１から１１のいずれか１項に記載の包装シートと、前記包装シート内に収容された複数の吸収性物品と、を有する、吸収性物品の包装体。
【考案の詳細な説明】
【技術分野】
【０００１】
本考案は、複数の吸収性物品を包む包装シート、及び当該包装シートを含む吸収性物品の包装体に関する。
【背景技術】
【０００２】
特許文献１は、複数の紙おむつのような吸収性物品を収容した包装袋を開示している。包装袋は、複数の吸収性物品を包む袋状の本体シートと、持ち手となる取手シートと、を有する。取手シートは、本体シートとは別体のシートによって構成されている。
【先行技術文献】
【特許文献】
【０００３】
【特許文献１】特開２００１−２４７１８１号
【考案の概要】
【考案が解決しようとする課題】
【０００４】
取手シートが本体シートとは別体のシートから構成されている場合、取手シートの強度を本体シートの強度よりも強くすることで、本体シート内の複数の吸収性物品の荷重に耐えられる取手シートを構成し易い。しかしながら、取手シートは、ユーザが直接掴む部分であるため、取手シートが過度に硬いと、本体シート内に包まれている吸収性物品も硬いという印象をユーザに与えかねない。吸収性物品は人に着用されるものであるため、吸収性物品が硬いという印象を与えると、ユーザの購入意欲を損なう虞がある。
【０００５】
よって、取手シートの強度を維持しつつ、収容された吸収性物品が柔らかいという印象を与えることができる包装シートが望まれる。
【課題を解決するための手段】
【０００６】
一態様に係る複数の吸収性物品を包む包装シートは、袋状の本体シートと、前記本体シートに接合され、前記本体シートとは別体の取手シートと、を有する。前記取手シートを構成する資材の５％ひずみ引張応力は、前記本体シートを構成する資材の５％ひずみ引張応力よりも高い。前記取手シートに凹凸部が形成されている。
【考案の効果】
【０００７】
取手シートの強度を維持しつつ、収容された吸収性物品が柔らかいという印象を与えることができる包装シートを提供する。
【図面の簡単な説明】
【０００８】
【図１】一実施形態に係る吸収性物品の包装体の斜視図である。
【図２】一実施形態に係る包装体の断面図である。
【図３】一実施形態に係る取手シートの平面図である。
【図４】図３のＡ−Ａ線に沿った取手シートの断面図である。
【図５】包装シートに収容された吸収性物品の平面図である。
【図６】図５のＢ−Ｂ線に沿った吸収性物品の断面図である。
【考案を実施するための形態】
【０００９】
（１）実施形態の概要
本明細書及び添付図面の記載により、少なくとも以下の事項が明らかとなる。
【００１０】
一態様に係る包装シートは、袋状の本体シートと、前記本体シートに接合され、前記本体シートとは別体の取手シートと、を有し、複数の吸収性物品を包む包装シートであって、前記取手シートを構成する資材の５％ひずみ引張応力は、前記本体シートを構成する資材の５％ひずみ引張応力よりも高く、前記取手シートに凹凸部が形成されている。
【００１１】
取手シートは本体シートとは別体であり、取手シートを構成する資材の５％ひずみ引張応力は、本体シートを構成する資材の５％ひずみ引張応力よりも高い。これにより、取手シートが本体シートよりも伸び難くなるため、複数の吸収性物品を収容する本体シートを柔らかく維持しつつも、取手シートは、包装シート内の複数の吸収性物品の荷重に十分に耐えられるようになる。したがって、包装シートが掴んで持ち上げられたときに、取手シートの変形（伸び）が抑制される。
【００１２】
５％ひずみ引張応力が高く伸び難い取手シートにもかかわらず、取手シートに凹凸部を形成することで、取手シートは比較的柔らかくなるため、使用者に柔らかい触感を与えることができる。よって、取手シートの強度を維持しつつ、収容された吸収性物品が柔らかいという印象をユーザに与えることができる。
【００１３】
さらに、凹凸部により取手シートの表面の摩擦力が高まるため、取手シートを滑り難くすることもできる。
【００１４】
好ましい一態様によれば、前記凹凸部は、少なくとも、前記本体シートと前記取手シートとが接合された面と同じ面に形成されている。
【００１５】
本体シートと取手シートとが接合された面と同じ面は、使用時に人の手が接触する面に相当する。使用時に人の手が接触する面に凹凸部が形成されているので、使用者に柔らかい触感を与えることができる。したがって、収容された吸収性物品が柔らかいという印象をユーザに与えることができる。
【００１６】
好ましい一態様によれば、前記凹凸部は、前記取手シートの両面に形成されている。これにより、使用者により柔らかい触感を与えることができ、収容された吸収性物品が柔らかいという印象をユーザに与えることができる。
【００１７】
好ましい一態様によれば、前記取手シートは、前記凹凸部が形成された凹凸領域と、前記凹凸部が形成されていない非凹凸領域と、を有し、前記本体シートと前記取手シートとを接合する接合部は、前記非凹凸領域に設けられている。
【００１８】
一般に凹凸部が形成された領域でシートを他のシートに接合しようとすると、接合強度が低下することがある。本態様では、接合部が非凹凸領域に設けられているため、本体シートと取手シートの接合強度の低下を防止することができる。
【００１９】
好ましい一態様によれば、前記凹凸部は、少なくとも前記取手シートの長手方向に延びている。使用者が取手シートを掴んだときに、取手シートが、凹凸部により長手方向に交差する方向に潰れ易くなるため、より柔らかい触感を与えることができる。したがって、収容された吸収性物品が柔らかいという印象をユーザに与えることができる。
【００２０】
好ましい一態様によれば、前記取手シートの、前記凹凸部が設けられた領域は、透明領域又は半透明領域を含む。前記凹凸部が設けられた領域は透明領域又は半透明領域を含むため、複数の吸収性物品を収容した包装シートを立てたときに、取手シートの透明領域又は半透明領域を介して本体シートを視認することができる。
【００２１】
特に、本体シートには商品に関する情報等が表示されているため、取手シートの透明領域又は半透明領域を介して本体シートを視認することができることにより、ユーザが商品に関する情報を見落とすことを抑制することができる。
【００２２】
好ましい一態様によれば、前記取手シートの前記透明領域又は半透明領域の光沢度は、３０％以上である。これにより、透明領域又は半透明領域の乱反射を抑制することができるため、透明領域又は半透明領域を介して本体シートを視認し難くすることを抑制することができる。
【００２３】
好ましい一態様によれば、前記凹凸部の高さの差は、２０μｍ以下である。これにより、凹凸部による乱反射を抑制することができるため、透明領域又は半透明領域を介して本体シートを視認し難くすることを抑制することができる。
【００２４】
好ましい一態様によれば、前記凹凸部はエンボス部である。凹凸部がエンボス部によって形成されることにより、エンボス部とその周りの領域の剛性差が高くなり、各エンボス部が取手シートの折れ曲がり基点となる。これにより、取手シートがより曲がり易くなり、ユーザにより柔らかい触感を与えることができる。したがって、収容された吸収性物品が柔らかいという印象をユーザに与えることができる。
【００２５】
好ましい一態様によれば、前記本体シートに凹凸部が形成されている。本体シートにも凹凸部が形成されているため、本体シートと取手シートに一体感を与えることができ、包装シートが全体的に柔らかい印象となる。さらに、本体シートに凹凸部による変形基点ができるため、本体シートを実際に柔らかくすることができ、収容された吸収性物品が柔らかいという印象をユーザに与えることができる。
【００２６】
好ましい一態様によれば、前記包装シート内に収容された吸収性物品に凹凸部が形成されている。吸収性物品にも凹凸部が形成されているため、包装シートの柔らかさと同様に吸収性物品も柔らかいという印象をユーザに与えることができる。
【００２７】
一態様に係る吸収性物品の包装体は、前述のいずれかの包装シートと、前記包装シート内に収容された複数の吸収性物品と、を有する。これにより、前述したように、別体としての取手シートの強度を維持しつつ、収容された吸収性物品が柔らかいという印象をユーザに与えることができる。さらに、凹凸部により取手シートの表面の摩擦力が高まるため、取手シートを滑り難くすることもできる。
【００２８】
（２）吸収性物品の包装体の構成
以下、図面を参照して、実施形態に係る吸収性物品の包装体について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２９】
図１は、一実施形態に係る吸収性物品の包装体の斜視図である。図２は、一実施形態に係る包装体の断面図である。本実施形態において、吸収性物品の包装体１は、包装シート２と、包装シート２内に収容された複数の吸収性物品１００と、を有する。包装シート２は、袋状の本体シート１０と、本体シート１０とは別体の取手シート２０と、を有する。
【００３０】
本体シート１０及び取手シート２０は、例えば合成樹脂フィルムのような資材によって形成されていてよい。取手シート２０は、本体シート１０に接合されている。具体的には、取手シート２０は、長手方向Ｌの一端部と他端部の両方で本体シート１０に接合されており、ループ状の持ち手を形成していてよい。なお、取手シート２０は、接着剤によって本体シート１０に接合されていてもよく、熱溶着によって直接本体シート１０に接合されていてもよい。
【００３１】
図３は、一実施形態に係る取手シート２０の平面図である。ただし、図３では、便宜上、取手シート２０は本体シート１０から取り外した状態で示されている。図４は、図３のＡ−Ａ線に沿った取手シートの断面図である。
【００３２】
取手シート２０を構成する資材の５％ひずみ引張応力は、本体シート１０を構成する資材の５％ひずみ引張応力よりも高い。これにより、取手シート２０が本体シート１０よりも伸び難くなるため、複数の吸収性物品１００を収容する本体シート１０を柔らかく維持しつつも、取手シート２０は、包装シート２内の複数の吸収性物品１００の荷重に十分に耐えられるようになる。したがって、包装シート２が掴んで持ち上げられたときに、取手シート２０の変形（伸び）が抑制される。
【００３３】
より好ましくは、取手シート２０の厚み（最大厚み）は、本体シート１０の厚み（最大厚み）よりも大きい。これにより、取手シートの強度を本体シート１０の強度よりも高くすることができる。
【００３４】
また、取手シート２０に複数の凹凸部２２が形成されている。５％ひずみ引張応力が高く伸び難い取手シート２０にもかかわらず、取手シート２０に凹凸部２２を形成することで、取手シート２０は比較的柔らかくなるため、使用者に柔らかい触感を与えることができる。よって、取手シート２０の強度を維持しつつ、収容された吸収性物品１００が柔らかいという印象をユーザに与えることができる。さらに、凹凸部２２により取手シート２０の表面の摩擦力が高まるため、取手シートを滑り難くすることもできる。
【００３５】
取手シート２０は、凹凸部２２が形成された凹凸領域２４と、凹凸部２２が形成されていない非凹凸領域２６と、を有していてよい。この場合、凹凸領域２４は、取手シート２０全体の好ましくは２０％、より好ましくは４０％、さらに好ましくは６０％以上の領域に設けられていてよい。
【００３６】
凹凸部２２は、少なくとも、本体シート１０と取手シート２０とが接合された面と同じ面に形成されていることが好ましい。本体シート１０と取手シート２０とが接合された面と同じ面は、使用時に人の手が接触する面に相当する。使用時に人の手が接触する面に凹凸部２２が形成されているので、使用者に柔らかい触感を与えることができる。したがって、収容された吸収性物品１００が柔らかいという印象をユーザに与えることができる。
【００３７】
さらに、凹凸部２２は、取手シート２０の両面に形成されていることがより好ましい。これにより、使用者により柔らかい触感を与えることができ、収容された吸収性物品が柔らかいという印象をユーザに与えることができる。
【００３８】
凹凸部２２は、少なくとも取手シート２０の長手方向Ｌに延びていてよい。すなわち、複数の凹凸部２２のうちの少なくとも１つの凸部又は凹部は、長手方向Ｌに連続的又は断続的に延びている。使用者が取手シートを掴んだときに、取手シート２０が、凹凸部２２を基点に長手方向Ｌに交差する方向に潰れ易くなるため、より柔らかい触感を与えることができる。したがって、収容された吸収性物品１００が柔らかいという印象をユーザに与えることができる。
【００３９】
もっとも、凹凸部２２は、長手方向Ｌに交差する方向に延びる成分を有していてもよい。
【００４０】
取手シート２０は、凹凸部２２が形成された凹凸領域２４と、凹凸部２２が形成されていない非凹凸領域２６と、を有していてよい。この場合、本体シート１０と取手シート２０とを接合する接合部は、非凹凸領域２６に設けられていることが好ましい。一般に凹凸部が形成された領域でシートを他のシートに接合しようとすると、接合強度が低下することがある。本態様では、接合部が非凹凸領域２６に設けられているため、本体シート１０と取手シート２０の接合強度の低下を防止することができる。
【００４１】
取手シート２０の凹凸領域２４は、透明領域又は半透明領域を含むことが好ましい。凹凸部２２が設けられた領域が透明領域又は半透明領域を含むため、複数の吸収性物品１００を収容した包装体２を立てたときに、取手シート２０の透明領域又は半透明領域を介して本体シート１０を視認することができる。
【００４２】
特に、本体シートには商品に関する情報表示１６が設けられていると、取手シート２０の透明領域又は半透明領域を介して本体シート１０を視認することができることにより、ユーザが情報表示１６を見落とすことを抑制することができる。
【００４３】
このような情報表示１６は、本体シート１０の取手シート２０と対向する面に設けられていてよい。情報表示１６は、例えば、商品名、ブランド、ロゴ、商品情報のような文字、記号、図形又は写真などであってよい。
【００４４】
なお、透明領域又は半透明領域は、取手シート２０全体に設けられていてもよく、取手シート２０の一部に設けられていても良い。
【００４５】
取手シート２０の透明領域又は半透明領域の光沢度は、好ましくは３０％以上であり、より好ましくは３５〜９０％の範囲である。透明領域又は半透明領域の光沢度が当該範囲内であることにより、透明領域又は半透明領域の乱反射を抑制することができるため、透明領域又は半透明領域を介して本体シート１０が視認し難くなることを抑制することができる。したがって、ユーザが情報表示１６を見落とすことをより抑制することができる。
【００４６】
ここで、光沢度は、日本電色工業株式会社の光沢計ＶＧ７０００を用い、鏡面光沢度−測定方法（ＪＩＳ Ｚ ８７４１）に準拠した測定方法によって測定することができ、６０°の角度の光沢である。なお、可視波長範囲全域にわたって屈折率が１．５６７の一定値を有するガラス表面の光沢度を１００％と規定する。
【００４７】
凹凸部２２の高さの差は、２０μｍ以下、例えば０．１μｍ〜２０μｍの範囲であることが好ましい。これにより、凹凸部２２による乱反射を抑制することができるため、透明領域又は半透明領域を介して本体シート１０を視認し難くすることを抑制することができる。したがって、ユーザが情報表示１６を見落とすことをより抑制することができる。
【００４８】
凹凸部２２はエンボス部であってよい。すなわち、凹凸部２２はエンボス加工により形成されることが好ましい。凹凸部２２がエンボス部によって形成されることにより、各々のエンボス部とその周りの領域の剛性差が高くなり、各エンボス部が取手シート２０の折れ曲がり基点となる。これにより、取手シート２０がより曲がり易くなり、ユーザに、より柔らかい触感を与えることができる。したがって、収容された吸収性物品１００が柔らかいという印象をユーザに与えることができる。
【００４９】
本体シート１０は、袋状に形成されており、複数の吸収性物品を収容する。本体シート１０には複数の凹凸部１２が形成されていることが好ましい。本体シート１０にも凹凸部１２が形成されているため、本体シート１０と取手シート２０に一体感を与えることができ、包装シート２が全体的に柔らかい印象となる。さらに、本体シート１０に凹凸部１２による変形基点ができるため、本体シート１０を実際に柔らかくすることができ、収容された吸収性物品１００が柔らかいという印象をユーザに与えることができる。
【００５０】
本体シート１０の凹凸部１２の高さの差は、取手シート２０と同様に、２０μｍ以下、例えば０．１μｍ〜２０μｍの範囲であることが好ましい。この場合、本体シート１０の凹凸部１２と、取手シート２０の凹凸部２２が似た印象となるため、本体シート１０と取手シート２０により一体感を与えることができる。
【００５１】
本体シート１０の凹凸部１２は、取手シート２０と同様にエンボス加工によって形成することができる。
【００５２】
本実施形態において、５％ひずみ引張応力は、シートを５％伸長させたときの引張応力によって定義され、ＪＩＳ−Ｋ７１２７に規定する方法により測定することができる。
【００５３】
具体的には、測定対象のシートから、長方状のサンプルを切り出し、サンプルの両端をチャックにより固定する。ここで、チャック間の距離、すなわちサンプルのチャック間の長さは１００ｍｍ、かつサンプルの幅は１５ｍｍとする。この状態で、サンプルの一方の端を固定して、サンプルのもう一方の端を長さ方向に１００ｍｍ／ｍｉｎの速さで引張る。そして、サンプルが５％伸びたときの応力を、「引張応力」とする。
【００５４】
（３）吸収性物品の構成
包装シート２内に収容される吸収性物品の一例について、図５及び図６を参照して説明する。図５は、包装シート２に収容された吸収性物品１００の平面図である。図６は、図５のＢ−Ｂ線に沿った吸収性物品１００の断面図である。本実施形態では、吸収性物品１００は、いわゆるテープタイプの使い捨ておむつである。この代わりに、吸収性物品１００は、いわゆるパンツタイプの使い捨ておむつであってもよい。
【００５５】
吸収性物品１００は、着用者の肌に面する表面シート１１０と、着用者の肌とは反対に向けられる裏面シート１２０と、表面シート１１０と裏面シート１２０との間の吸収体１３０と、を有する。
【００５６】
吸収性物品１００に複数の凹凸部１１２，１２２が形成されていることが好ましい。具体的一例として、吸収性物品１００の凹凸部１２２は、表面シート１１０と裏面シート１２０の両方に形成されている。この代わりに、吸収性物品１００は、表面シート１１０と裏面シート１２０のいずれか一方に凹凸部１２２が形成されていてもよい。吸収性物品１００にも凹凸部１１２，１２２が形成されているため、包装シート２の柔らかさと同様に吸収性物品１００も柔らかいという印象をユーザに与えることができる。
【００５７】
特に、表面シート１１０に凹凸部１１２が形成されている場合、着用者は、吸収性物品１００の直接肌に触れる面が柔らかいという印象を得るため、着用者によい印象を与えることができる。
【００５８】
吸収性物品１００の凹凸部１１２，１２２の高さの差は、取手シート２０と同様に、２０μｍ以下、例えば０．１μｍ〜２０μｍの範囲であることが好ましい。この場合、吸収性物品１００の凹凸部１１２，１２２と、取手シート２０の凹凸部２２が似た印象となるため、包装シート２の柔らかさと同様に吸収性物品１００も柔らかいという印象をユーザに与え易くなる。
【００５９】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【００６０】
例えば、上記実施形態では、包装シート２に収容される吸収性物品は使い捨ておむつであった。この代わりに、吸収性物品１００は、生理用ナプキン、ライナー又は失禁用パッドのように着用者の肌に装着される吸収性物品であってもよい。
【００６１】
また、包装シートは、図１に示す形状に限られない。例えば、取手シートは、包装シートから連続的に延びたシート部分と、当該シート部分に全面で接合された別のシートと、を含む積層シートによって構成されていてもよい。この積層シートにユーザの手を入れる取手用の孔部が形成されていてよい。この場合、取手シート（積層シート）を構成する資材の５％ひずみ引張応力は、本体シートを構成する資材の５％ひずみ引張応力よりも高く、取手シート（積層シート）に凹凸部が形成されていればよい。
【符号の説明】
【００６２】
１      吸収性物品の包装体
１０    本体シート
１２    本体シートの凹凸部
１６    情報表示部
２０    取手シート
２２    取手シートの凹凸部
２４    凹凸領域
２６    非凹凸領域
１００  吸収性物品
１２２  吸収性物品の凹凸部
【図１】
0003212544.tif 000003
【図２】
0003212544.tif 000004
【図３】
0003212544.tif 000005
【図４】
0003212544.tif 000006
【図５】
0003212544.tif 000007
【図６】
0003212544.tif 000008